(57)【要約】【課題】顔の美容トリートメントのため揮発性を有する化粧用組成物が含浸された基材シートから成る化粧マスクを顔の肌に密着させて使用するとき、化粧用組成物を基材シートから揮発・飛散させることなく効果的に肌に浸透させることがでると共に、空調機を使用している室内や列車内等の空気が乾燥した場所に長時間いるとき、露出している顔の肌の乾燥を防止することができ、しかも長時間使用しても顔の肌に紐等の痕が残らない顔面マスクを提供する。【解決手段】保湿性を有する材質で形成されたマスク本体１と、マスク本体１０の両側部１５に付設された紐部３０とを備え、マスク本体１０は顔全面を覆うように被せることができる大きさで、両側部１５は蛇腹状に畳まれ、紐部３０は耳部に掛るだけの長さとした。【選択図】図１
0003210384.tif 000002
【実用新案登録請求の範囲】
【請求項１】
保湿性を有する材質で形成されたマスク本体と、前記マスク本体の両側部に付設された紐部とを備え、前記マスク本体は顔全面を覆うように被せることができる大きさで、前記両側部は蛇腹状に畳まれ、前記紐部は耳部に掛るだけの長さであることを特徴とする顔面マスク。
【請求項２】
前記マスク本体が鼻の位置で上側を覆うように被せる上側部と下側を覆うように被せる下側部とに水平方向に分割されていることを特徴とする請求項１に記載の顔面マスク。
【請求項３】
前記マスク本体は、非通気性を有する材質で形成されていることを特徴とする請求項１又は２に記載の顔面マスク。
【考案の詳細な説明】
【技術分野】
【０００１】
本考案は、顔全面を覆うように被せることができる顔面マスクに関する。
【背景技術】
【０００２】
下記特許文献１には、顔の肌を保湿し且つ肌から汚れを取り除く等の顔の美容トリートメントのため化粧用組成物が含浸された基材シートから成る化粧マスクを顔の肌に密着させ、化粧用組成物の美容成分を肌に有効に浸透させることが提案されている。
【０００３】
しかしながら、化粧マスクに用いられている化粧用組成物が含浸された基材シートは不織布で形成されているので、基材シートに含浸された化粧用組成物が揮発性を有していると、化粧用組成物が揮発・飛散し、化粧用組成物を効果的に肌に浸透させることができないとの不具合があった。
【０００４】
また、空調機を使用している室内や列車内等は空気が乾燥しているので、そのような空気が乾燥した場所に長時間いると露出している顔の肌も乾燥し、肌が荒れるとの不具合があった。
【先行技術文献】
【特許文献】
【０００５】
【特許文献１】特開２０１６−９３３２４号公報
【考案の概要】
【考案が解決しようとする課題】
【０００６】
本考案はかかる不具合を解決するためになされたものであって、その目的とするところは、顔の美容トリートメントのため揮発性を有する化粧用組成物が含浸された基材シートから成る化粧マスクを顔の肌に密着させて使用するとき、化粧用組成物を基材シートから揮発・飛散させることなく効果的に肌に浸透させることがでる顔面マスクを提供することである。
【０００７】
更に、別の目的は、空調機を使用している室内や列車内等の空気が乾燥した場所に長時間いるとき、露出している顔の肌の乾燥を防止することができ、しかも長時間使用しても顔の肌に紐等の痕が残らない顔面マスクを提供することである。
【課題を解決するための手段】
【０００８】
上記目的を達成するため、本考案の請求項１に係る顔面マスクは、保湿性を有する材質で形成されたマスク本体と、前記マスク本体の両側部に付設された紐部とを備え、前記マスク本体は顔全面を覆うように被せることができる大きさで、前記両側部は蛇腹状に畳まれ、前記紐部は耳部に掛るだけの長さであることを特徴とするものである。
【０００９】
また、本考案の請求項２に係る顔面マスクは、請求項１に記載の顔面マスクにおいて、前記マスク本体が鼻の位置で上側を覆うように被せる上側部と下側を覆うように被せる下側部とに水平方向に分割されていることを特徴とするものである。
【００１０】
また、本考案の請求項３に係る顔面マスクは、請求項１又は２に記載の顔面マスクにおいて、前記マスク本体は、非通気性を有する材質で形成されていることを特徴とするものである。
【考案の効果】
【００１１】
本考案は、以下の効果を奏する。
【００１２】
すなわち、上記構成を備えた本考案に係る顔面マスクは、前記マスク本体は保湿性を有する材質で形成され顔全面を覆うように被せることができる大きさであるので、顔の美容トリートメントのため揮発性を有する化粧用組成物が含浸された基材シートから成る化粧マスクを顔の肌に密着させて使用するとき、化粧マスクの上から顔面マスクを着用することで、揮発性を有する化粧用組成物が含浸された基材シートから化粧用組成物が揮発・飛散することなく効果的に肌に浸透させることができる。マスク本体が非通気性を有する素材で形成されているとその効果は特に優れる。この場合、マスク本体が鼻の位置で上側を覆うように被せる上側部と下側を覆うように被せる下側部とに水平方向に分割されていると、分割されている鼻の部分で上側部と下側部を重ねて使用することで、基材シートから化粧用組成物を揮発・飛散させることなく、且つ二分割されている箇所より多量の空気を吸い込むことができ、長時間使用しても息苦しさを感じることなく快適に過ごすことができる。
【００１３】
更に、本考案に係る顔面マスクは、前記マスク本体は保湿性を有する材質で形成され顔全面を覆うように被せることができる大きさであり、マスク本体の両側部に付設された紐部は耳部に掛るだけの長さであるので、空調機を使用している室内や列車内等の空気の乾燥した場所で長時間いるとき、顔面マスクを着用することで、露出している顔の肌の乾燥を防止することができ、しかも長時間使用しても顔の肌に紐等の痕跡を残さないようにすることができる。
【図面の簡単な説明】
【００１４】
【図１】本考案の一実施形態である顔面マスクを着用した状態を示す斜視図である。
【図２】本考案の別の実施形態である顔面マスクを着用した状態を示す斜視図である。
【考案を実施するための形態】
【００１５】
以下に図面を参照して、この考案の好適な実施の形態を例示して説明する。ただし、この考案の範囲は、特に限定的記載がない限り、この実施の形態に記載されている内容に限定する趣旨のものではない。
【００１６】
図１は、本考案の一実施形態である顔面マスクを着用した状態を示す斜視図であり、図２は、本考案の別の実施形態である顔面マスクを着用した状態を示す斜視図である。
【００１７】
本考案に係る顔面マスク１は、マスク本体１０と、紐部３０とを備える。
【００１８】
マスク本体１０は、保湿性を有する不織布とフィルムとの積層体で形成されている。フィルムは、僅かに通気性を有していても良く、全くの非通気性であっても良い。不織布が非通気性のフィルムと積層されている場合、非通気性を有する材質で形成された顔面マスクである。
【００１９】
マスク本体１０の大きさが顔全面を覆うように被せることができる大きさとは、顔の上部は額５１から下部は顎までを、横部は耳５３の付け根５４までの両頬５５を覆い被せることができる大きさである。この場合、マスク本体１０全面が顔の肌５６に密着する大きさであるよりも、マスク本体１０と顔の肌５６との間に隙間を確保できる程度にマスク本体１０に横皺２１ができる程度の余裕がある大きさであることが好適である。
【００２０】
マスク本体１０は、図２に示す通り、中央部１１が上下の中間で、鼻１７より上側を覆うように被せる上側部１２と、鼻より下側を覆うように被せる下側部１３とに、水平方向に分割されていても良い。この場合、分割箇所１４は中央部１１だけで、両側部１５は分割されていない。
【００２１】
両側部１５は、蛇腹状に圧縮されて畳まれており、顔面マスク１を着用したときに、耳５３の付け根５４の位置に圧縮されて畳まれた蛇腹状の側部１５全体が当たるようになっている。
【００２２】
紐部３０は、両側部１５に其々付設されていて、伸縮性を有する材質であるゴム等，または伸縮性を有しない紐などで形成されている。紐部３０の長さは、耳５３の後ろ側に回るだけの長さであり、頬５５に紐の痕跡が残らないように、紐部３０が頬５５に接しないようになっている。
【００２３】
以上の通り、本考案に係る顔面マスク１は、マスク本体１０は、保湿性を有する不織布とフィルムとの積層体で形成されていて、フィルムは僅かに通気性を有しており、顔の上部は額５１から下部は顎５２までを、横部は耳５３の付け根５４までの両頬５５を覆い被せることができる大きさであるので、顔の美容トリートメントのため揮発性を有する化粧用組成物が含浸された基材シートから成る化粧マスクを顔の肌５６に密着させて使用するとき、化粧マスクの上から顔面マスク１を着用することで、揮発性を有する化粧用組成物が含浸された基材シートから化粧用組成物が揮発・飛散することなく効果的に顔の肌５６に化粧用組成物を浸透させることが可能となる。
【００２４】
この場合に、マスク本体１０は不織布が非通気性のフィルムと積層された非通気性を有する材質で形成された顔面マスク１であると、より一層効果的に揮発性を有する化粧用組成物が含浸された基材シートから化粧用組成物が揮発・飛散することなく効果的に顔の肌５６に化粧用組成物を浸透させることが可能となる。
【００２５】
また、マスク本体１０が鼻５７より上側を覆うように被せる上側部１２と鼻より下側を覆うように被せる下側部１３とに水平方向に分割されていると、分割箇所１４より多量の空気を吸い込むことができ、マスク本体１０が非通気性を有する材質で形成された顔面マスク１であっても長時間使用して息苦しさを感じることなく快適に過ごすことが可能となる。
【００２６】
更に、紐部３０の長さは、耳５３の後ろ側に回るだけの長さであり、頬５５に紐の痕跡が残らないように紐部３０が頬５５に接しないようになっているので、空調機を使用している室内や列車内等の空気の乾燥した場所で長時間いるとき、顔面マスク１を着用することで、露出している顔の肌５６の乾燥を防止することができ、しかも長時間使用しても顔の頬５５に紐部３０の痕跡を残さないようにすることが可能となる。
【００２７】
更に、マスク本体１０の上端の位置を鼻５７の上側の箇所まで下げることで通常の口を覆うマスクとして使用することも可能となる。
【符号の説明】
【００２８】
１        顔面マスク
１０      マスク本体
１１      中央部
１２      上側部
１３      下側部
１４      分割箇所
１５      側部
２１      横皺
３０      紐部
５１      額
５２      顎
５３      耳
５４      付け根
５５      頬
５６      肌
５７      鼻
【図１】
0003210384.tif 000003
【図２】
0003210384.tif 000004